(57)【要約】【課題】展示作業時の作業性を損なうことなく、トレイの分割や開封に伴い小片のゴミが発生しないようにし、かつ、展示状態で商品の視認性及び取出性を確保する。【解決手段】２個のトレイ１がカバー２により連結され、カバー２の切断に伴い、トレイ１同士が分割される連結式包装展示兼用箱において、包装状態では、２個のトレイ１の後面板１３同士が突き合わされ、カバー２の天面板２１の両端から前面板２２が下方へ折り曲げられると共に、天面板２１の両側から天側板２３が下方へ折り曲げられ、トレイ１の側面板１０の後部と天側板２３とが接着されることなく、２個のトレイ１とカバー２とがそれぞれのトレイ１の突合側から離れた前部とカバー２との接着により固定されており、カバー２の分割用切目線２５を後面板１３の上端縁に形成した手掛切欠１７の位置から切断し、トレイ１からカバー２を除去するものとする。【選択図】図３
2019026366.tif 000002
【特許請求の範囲】
【請求項１】
２個のトレイ(1)がカバー(2)により連結され、カバー(2)の切断に伴い、トレイ(1)同士が分割される連結式包装展示兼用箱において、
前記トレイ(1)は、底面板(11)の前端に前受板(12)が、後端に後面板(13)がそれぞれ連設されて起立し、両側に対向する側面板(10)を有し、後面板(13)の上端縁に手掛切欠(17)が形成された構成であり、
前記カバー(2)は、２個のトレイ(1)の天面を覆う天面板(21)の両端に前面板(22)が連設されると共に、天面板(21)の両側にそれぞれ天側板(23)が連設され、天面板(21)及び両側の天側板(23)には、２個のトレイ(1)の突合部に位置する１本の分割用切目線(25)が入れられた構成であり、
包装状態では、２個のトレイ(1)の後面板(13)同士が突き合わされ、カバー(2)の天面板(21)から下方へ折り曲げられた両端の前面板(22)がそれぞれ２個のトレイ(1)の前面に被さると共に、天面板(21)から下方へ折り曲げられた両側の天側板(23)がそれぞれ２個のトレイ(1)の外側面に跨って被さり、側面板(10)の後部と天側板(23)とが接着されることなく、２個のトレイ(1)とカバー(2)とがそれぞれのトレイ(1)の突合側から離れた前部とカバー(2)との接着により固定されており、
カバー(2)の分割用切目線(25)を切断し、トレイ(1)からカバー(2)を除去することを特徴とする連結式包装展示兼用箱。
【請求項２】
請求項１に記載の連結式包装展示兼用箱において、前記トレイ(1)の側面板(10)は、底面板(11)及び後面板(13)の両側にそれぞれ連設されて側方へ折り曲げられた底側板(14)及び後側板(15)から成り、底側板(14)と後側板(15)とが接着されていることを特徴とする連結式包装展示兼用箱。
【請求項３】
請求項１又は２に記載の連結式包装展示兼用箱において、前記カバー(2)の天面板(21)には、分割用切目線(25)に臨んで対をなすように、手掛穴(26)が設けられていることを特徴とする連結式包装展示兼用箱。
【請求項４】
請求項１乃至３のいずれかに記載の連結式包装展示兼用箱において、前記トレイ(1)の前受板(12)には、切目線(18a)で区画された切取部(18)が設けられ、
包装状態では、前受板(12)とその外面に被さるカバー(2)の前面板(22)とが切取部(18)の領域内で接着されており、
トレイ(1)からカバー(2)を除去する際には、切目線(18a)が切断されて、切取部(18)が前面板(22)に貼り付いた状態で、前受板(12)から切り取られることを特徴とする連結式包装展示兼用箱。
【請求項５】
請求項１乃至４のいずれかに記載の連結式包装展示兼用箱において、前記カバー(2)の前面板(22)の両側にそれぞれ前側板(24)が連設され、前面板(22)から両側の前側板(24)が側方へ折り曲げられて、天側板(23)と前側板(24)とが接着されており、
包装状態では、トレイ(1)の後側板(15)とカバー(2)の前側板(24)とが突き合わされて側面が閉塞されていることを特徴とする連結式包装展示兼用箱。
【請求項６】
請求項１乃至４のいずれかに記載の連結式包装展示兼用箱において、前記トレイ(1)の前受板(12)の両側にそれぞれ前側板(19)が連設され、前受板(12)から両側の前側板(19)が側方へ折り曲げられて、底側板(14)と前側板(19)とが接着されており、
包装状態では、カバー(2)の天側板(23)がトレイ(1)の底側板(14)の外面に被さって側面が閉塞されていることを特徴とする連結式包装展示兼用箱。
【発明の詳細な説明】
【技術分野】
【０００１】
この発明は、商品の輸送用包装及び店頭での展示に兼用される箱に関するものである。
【背景技術】
【０００２】
例えば、瓶詰めのドレッシングやインスタントコーヒー等の商品の輸送用として、商品を載せる２個のトレイがカバーにより連結された段ボール箱が使用されることがある。この段ボール箱は、店頭における商品の展示にも兼用され、展示作業に際し、カバーをカッターナイフで切断して、トレイ同士を分割し、トレイからカバーを除去して商品を露出させるものとなっている。
【０００３】
ところが、上記連結式包装展示兼用箱では、店員が展示作業に備えてカッターナイフを手近に用意しておく必要があり、また、カッターナイフでトレイ同士を分割する際、怪我をする恐れもある。
【０００４】
そのような不都合を解消し得る連結式包装展示兼用箱として、本出願人は、下記特許文献１において、図１５に示すような２個のトレイ５１とその上方に被さるカバー５２とから成るものを提案している。
【０００５】
このトレイ５１は、底面板６１から前受板６２、後面板６３及び両側の底側板６４がそれぞれ起立し、前受板６２と底側板６４とが繋ぎ合わされ、後面板６３から両側の後側板６５が側方へ折り曲げられて、底側板６４に後側板６５が接着され、後面板６３の上端から天受板６６が水平方向へ折り曲げられた構成とされている。２個のトレイ５１は、商品を載せた包装状態において、後面板６３同士が突き合わされるように配置される。
【０００６】
一方、カバー５２は、天面板７１の両端から前面板７２が、両側から天側板７３がそれぞれ下方へ折り曲げられて繋ぎ合わされ、天面板７１から両側の天側板７３にかけて、ジッパー形式の２本の切目線に挟まれた引裂帯７４が設けられると共に、天側板７３の下部の接着部７５の上端に沿ってカットテープ７６が設けられた構成とされている。
【０００７】
上記連結式包装展示兼用箱では、商品の輸送用の包装に際し、２個のトレイ５１の天面をカバー５２の天面板７１で覆い、天面板７１を天受板６６により支持し、天側板７３の接着部７５を底側板６４に貼り付けて、２個のトレイ５１とカバー５２とを固定する。
【０００８】
そして、商品を店頭で展示する際、引裂帯７４を引っ張ることにより、カバー５２を切断し、トレイ５１同士を分割する。また、カットテープ７６を引っ張ることにより、天側板７３を切断し、トレイ５１からカバー５２を除去して、商品を露出させる。
【先行技術文献】
【特許文献】
【０００９】
【特許文献１】実開平５−３５６３０号公報
【発明の概要】
【発明が解決しようとする課題】
【００１０】
しかしながら、上記特許文献１に記載されたような連結式包装展示兼用箱では、包装状態から開封して展示状態とするため、２個のトレイ５１に分割して、トレイ５１からカバー５２を除去する際、引裂帯７４やカットテープ７６が小片のゴミとして発生し、その処分を煩わしく感じることがある。
【００１１】
また、商品の展示状態において、トレイ５１に残存した天受板６６により、商品の上方が部分的に覆われるので、商品の視認性や取出性が多少損なわれるという問題がある。
【００１２】
そこで、この発明は、展示作業時の作業性を損なうことなく、トレイの分割や開封に伴い小片のゴミが発生しないようにし、展示状態で商品の視認性及び取出性に優れた連結式包装展示兼用箱を提供しようとするものである。
【課題を解決するための手段】
【００１３】
上記課題を解決するため、この発明は、２個のトレイがカバーにより連結され、カバーの切断に伴い、トレイ同士が分割される連結式包装展示兼用箱において、
前記トレイは、底面板の前端に前受板が、後端に後面板がそれぞれ連設されて起立し、両側に対向する側面板を有し、後面板の上端縁に手掛切欠が形成された構成であり、
前記カバーは、２個のトレイの天面を覆う天面板の両端に前面板が連設されると共に、天面板の両側にそれぞれ天側板が連設され、天面板及び両側の天側板には、２個のトレイの突合部に位置する１本の分割用切目線が入れられた構成であり、
包装状態では、２個のトレイの後面板同士が突き合わされ、カバーの天面板から下方へ折り曲げられた両端の前面板がそれぞれ２個のトレイの前面に被さると共に、天面板から下方へ折り曲げられた両側の天側板がそれぞれ２個のトレイの外側面に跨って被さり、側面板の後部と天側板とが接着されることなく、２個のトレイとカバーとがそれぞれのトレイの突合側から離れた前部とカバーとの接着により固定されており、
カバーの分割用切目線を切断し、トレイからカバーを除去するものとしたのである。
【００１４】
また、前記トレイの側面板は、底面板及び後面板の両側にそれぞれ連設されて側方へ折り曲げられた底側板及び後側板から成り、底側板と後側板とが接着されているものとしたのである。
【００１５】
また、前記カバーの天面板には、分割用切目線に臨んで対をなすように、手掛穴が設けられているものとしたのである。
【００１６】
また、前記トレイの前受板には、切目線で区画された切取部が設けられ、
包装状態では、前受板とその外面に被さるカバーの前面板とが切取部の領域内で接着されており、
トレイからカバーを除去する際には、切目線が切断されて、切取部が前面板に貼り付いた状態で、前受板から切り取られるものとしたのである。
【００１７】
そして、前記カバーの前面板の両側にそれぞれ前側板が連設され、前面板から両側の前側板が側方へ折り曲げられて、天側板と前側板とが接着されており、
包装状態では、トレイの後側板とカバーの前側板とが突き合わされて側面が閉塞されているものとしたのである。
【００１８】
或いは、前記トレイの前受板の両側にそれぞれ前側板が連設され、前受板から両側の前側板が側方へ折り曲げられて、底側板と前側板とが接着されており、
包装状態では、カバーの天側板がトレイの底側板の外面に被さって側面が閉塞されているものとしたのである。
【発明の効果】
【００１９】
この発明に係る連結式包装展示兼用箱は、カバーを１本の分割用切目線に沿って切断することにより、カッターナイフを使用することなく、トレイ同士を分割することができ、トレイからカバーを除去できるので、店頭での展示作業性に優れたものとなる。
【００２０】
また、２個のトレイが連結された状態でも、分割された後でも、同様にトレイからカバーを除去して開封することができるので、作業手順に戸惑うことがない。
【００２１】
さらに、展示作業時のトレイの分割や開封に伴い、引裂帯やカットテープのような小片のゴミが発生することもない。
【００２２】
そして、展示状態で商品の上方を覆う部分がないので、商品の視認性及び取出性に優れたものとなり、店頭での訴求力が向上し、商品の販売促進効果が期待できる。
【図面の簡単な説明】
【００２３】
【図１】この発明の第１実施形態に係る連結式包装展示兼用箱のトレイとカバーのブランクを示す図
【図２】同上の輸送時の包装状態を示す斜視図
【図３】同上の連結されたトレイからカバーを除去する過程を示す斜視図
【図４】同上の連結されたトレイによる商品の展示状態を示す斜視図
【図５】同上の輸送時の包装状態からの分割後の状態を示す斜視図
【図６】同上の分割されたトレイからカバーを除去する過程を示す斜視図
【図７】同上の分割されたトレイによる商品の展示状態を示す斜視図
【図８】この発明の第２実施形態に係る連結式包装展示兼用箱のトレイとカバーのブランクを示す図
【図９】同上の輸送時の包装状態を示す斜視図
【図１０】同上の連結されたトレイからカバーを除去する過程を示す斜視図
【図１１】同上の連結されたトレイによる商品の展示状態を示す斜視図
【図１２】同上の輸送時の包装状態からの分割後の状態を示す斜視図
【図１３】同上の分割されたトレイからカバーを除去する過程を示す斜視図
【図１４】同上の分割されたトレイによる商品の展示状態を示す斜視図
【図１５】特許文献１に記載された連結式包装展示兼用箱の２個のトレイとカバーの固定前の状態を示す斜視図
【発明を実施するための形態】
【００２４】
以下、この発明の実施形態を添付図面に基づき説明する。説明中の方向表示は、展示時に買い物客から商品が最もよく見える方向を前方とし、その反対側を後方としている。
【００２５】
まず、この発明の第１実施形態につき、図１乃至図７に基づいて詳述する。
【００２６】
この連結式包装展示兼用箱は、例えば、ドレッシングの瓶のような商品の包装及び展示に使用されるものであり、図１に示すような段ボール製の２個のトレイ１とカバー２のブランクから構成される。これらのブランクにおいて、段ボールの中芯の波形の段頂が延びる段目の方向は、トレイ１の連結方向へ向けられている。
【００２７】
トレイ１のブランクでは、底面板１１の前端に前受板１２が連設され、底面板１１の後端に後面板１３が連設されている。組立時における前受板１２の高さは、後面板１３の高さよりも低く、箱の高さの１／３程度に設定されている。底面板１１及び後面板１３の両側には、それぞれ底側板１４及び後側板１５が連設され、底側板１４の前端には、前継板１６が連設されている。底側板１４の高さは、前受板１２と同程度とされている。底側板１４及び後側板１５は、組立状態において側面板１０を構成するものとされている。
【００２８】
後面板１３の組立時における上端縁には、カバー２の除去時に手を掛ける弧状の手掛切欠１７が形成されている。
【００２９】
前受板１２には、端縁から鉤状の切目が断続するジッパー形式の切目線１８ａが入れられ、切目線１８ａで区画された切取部１８が設けられている。前継板１６は、切取部１８の端部の形状に対応して切り欠かれている。
【００３０】
トレイ１の組立時にホットメルト接着剤で接着する位置は、底側板１４の後部及び後側板１５の接着部ａと、前受板１２の両端部と前継板１６の接着部ｂとされている。
【００３１】
カバー２のブランクでは、長方形の天面板２１の一対の短辺である両端に前面板２２が連設され、天面板２１の一対の長辺である両側に天側板２３が、前面板２２の両側に前側板２４がそれぞれ連設されている。天面板２１は、２個のトレイ１を背中合わせに並べた状態の底面よりも一回り大きく、天側板２３の高さは、組立時における箱の高さの１／３程度に設定されている。
【００３２】
天面板２１及び両側の天側板２３の長さ方向の中央には、２個のトレイ１の突合部に位置する１本の分割用切目線２５が入れられている。この分割用切目線２５は、短い切目が断続するミシン目とされている。天側板２３の端縁中央部は、分割用切目線２５の端部へかけて幅が狭くなるように弧状に切り込まれている。
【００３３】
天面板２１には、分割用切目線２５の中央部に臨んで対をなすように、２本のミシン目状の切目線と、その終端間にわたる１本の押罫の折目線を入れることにより、カバー２の除去時に押し込んで手を掛ける手掛穴２６となる部分が設けられている。
【００３４】
カバー２の組立時にホットメルト接着剤で接着する位置は、天側板２３の両端部及び前側板２４の接着部ｃとされている。
【００３５】
また、トレイ１とカバー２の固定時にホットメルト接着剤で接着する位置は、図中において網掛表示したように、トレイ１の切取部１８の領域内及びカバー２の両端の前面板２２の接着部ｄとされている。
【００３６】
このようなブランクを組み立てて商品を包装するには、図２に示すように、２個のトレイ１のブランクにおいて、底面板１１から前受板１２、後面板１３及び両側の底側板１４をそれぞれ起立させ、後面板１３から両側の後側板１５を側方へ折り曲げ、底側板１４に後側板１５を接着部ａで接着すると共に、前継板１６を前受板１２の内面に沿って折り曲げ、接着部ｂで接着することにより、前受板１２と底側板１４とを繋ぎ合わせる。
【００３７】
これにより、トレイ１が組立形状に保持されるので、２個のトレイ１を後面板１３同士が突き合わされるように配置し、商品を底面板１１に載せてトレイ１に収納する。なお、２個のトレイ１の後面板１３の下部同士を、ホットメルト接着剤により僅かに接着しておくと、展示時の開封性に影響を及ぼすことなく、包装強度が向上する。
【００３８】
そして、２個のトレイ１にカバー２を上方から被せ、２個のトレイ１の天面を天面板２１で覆い、天面板２１から両端の前面板２２を下方へ折り曲げ、各トレイ１の前受板１２とその外面に被さる前面板２２とを、切取部１８の領域内の接着部ｄで接着する。これにより、２個のトレイ１とカバー２とが固定される。
【００３９】
また、カバー２の前面板２２から両側の前側板２４を側方へ折り曲げ、天面板２１から両側の天側板２３を２個のトレイ１の側面に跨って被さるように下方へ折り曲げて、前側板２４に天側板２３を接着部ｃで接着する。このとき、各トレイ１の後側板１５とカバー２の天側板２３とは接着しない。
【００４０】
この包装状態において、各トレイ１の後側板１５とカバー２の前側板２４とが突き合わされて、側面が閉塞される。また、天面板２１の分割用切目線２５は、２個のトレイ１の突合部である後面板１３の上方に位置し、手掛穴２６となる部分の端縁部は、手掛切欠１７の上方に位置する。
【００４１】
一方、店頭での商品の展示に際しては、図３に示すように、天面板２１の分割用切目線２５に臨む手掛穴２６となる部分を押し込んで開口させ、その開口縁に手を掛ける。このとき、天面板２１の手掛穴２６を形成する部分と後面板１３との干渉が、手掛切欠１７により防止される。そして、手掛穴２６の開口縁を引っ張ることにより、分割用切目線２５を切断し、分割されたカバー２を外側へ揺動させる。
【００４２】
これに伴い、切目線１８ａが切断されて、切取部１８が接着部ｄで前面板２２の内面に貼り付いたまま、前受板１２から切り取られ、トレイ１とカバー２とが分離するので、トレイ１からカバー２を分割用切目線２５を挟んで片側ずつ除去する。
【００４３】
このように、２個のトレイ１からカバー２を除去すると、図４に示すように、連結された２個のトレイ１がそれぞれ天面から前受板１２へかけて大きく開放され、露出した商品Ｇ１を買物客から見えやすい状態で展示することができる。
【００４４】
なお、図２に示す包装状態において、カバー２を前面板２２の下端部から捲り上げるように揺動させることにより、トレイ１とカバー２とを分離し、図４に示すような展示状態とすることもできる。
【００４５】
また、図５に示すように、２個のトレイ１を相対的に上下に捻るようにずらす等の動作により、カバー２の分割用切目線２５を切断し、トレイ１とカバー２とが固定されたままの状態で、２つの箱に分割して、取り扱うこともできる。
【００４６】
この場合でも、上記と同様、図６に示すように、天面板２１の手掛穴２６となる部分を押し込んで、又は、手掛切欠１７から天面板２１の手掛穴２６となる部分を引き上げて、開口した手掛穴２６に手を掛け、手掛穴２６の開口縁を引っ張って、分割されたカバー２を外側へ揺動させることにより、トレイ１からカバー２を除去することができる。
【００４７】
そして、図７に示すように、トレイ１を天面から前受板１２へかけて大きく開放し、露出した商品Ｇ１を買物客から見えやすい状態で展示することができる。
【００４８】
このように、上記連結式包装展示兼用箱は、カバー２を１本の分割用切目線２５に沿って切断することにより、カッターナイフを使用することなく、トレイ１同士を分割することができ、トレイ１からカバー２を除去できるので、店頭での展示作業性に優れたものとなり、包装状態から展示状態への変換を効率よく行うことができる。
【００４９】
また、２個のトレイ１が連結された状態でも、分割された後でも、同様にトレイ１からカバーを２除去して開封することができ、作業手順に戸惑うことがない。
【００５０】
さらに、展示作業時のトレイ１の分割や開封に伴い、引裂帯やカットテープのような小片のゴミが発生することもない。
【００５１】
そして、展示状態で商品Ｇ１の上方を覆う部分がないので、商品Ｇ１の視認性及び取出性に優れたものとなり、店頭での訴求力を向上させて、商品Ｇ１の販売促進効果を期待することができる。
【００５２】
次に、この発明の第２実施形態につき、図８乃至図１４に基づいて詳述する。
【００５３】
この連結式包装展示兼用箱は、例えば、インスタントコーヒーの瓶のような商品の包装及び展示に使用されるものであり、図８に示すような段ボール製の２個のトレイ１とカバー２のブランクから構成される。これらのブランクにおいて、段ボールの中芯の波形の段頂が延びる段目の方向は、トレイ１の連結方向へ向けられている。
【００５４】
トレイ１のブランクでは、底面板１１の前端に前受板１２が連設され、底面板１１の後端に後面板１３が連設されている。組立時における前受板１２及び後面板１３の高さは、箱の高さと同程度に設定されている。底面板１１の両側には、底側板１４が連設され、組立時における底側板１４の高さは、箱の高さの半分程度とされている。後面板１３及び前受板１２の両側には、後側板１５及び前側板１９がそれぞれ連設され、組立時における後側板１５及び前側板１９の高さは、後面板１３及び前受板１２と同程度とされている。底側板１４及び後側板１５は、組立状態において側面板１０を構成するものとされている。
【００５５】
後面板１３の組立時における上端縁には、カバー２の除去時に手を掛ける弧状の手掛切欠１７が形成されている。
【００５６】
前受板１２には、端縁から鉤状の切目が断続するジッパー形式の切目線１８ａが入れられ、切目線１８ａで区画された切取部１８が設けられている。
【００５７】
トレイ１の組立時にホットメルト接着剤で接着する位置は、底側板１４の後部及び後側板１５の接着部ａと、底側板１４の前部及び前側板１９の接着部ｅとされている。
【００５８】
カバー２のブランクでは、長方形の天面板２１の一対の短辺である両端に前面板２２が連設され、天面板２１の一対の長辺である両側に天側板２３が連設されている。天面板２１は、２個のトレイ１を背中合わせに並べた状態の底面よりも一回り大きく、天側板２３の高さは、組立時における箱の高さと同程度に設定されている。
【００５９】
天面板２１及び両側の天側板２３の長さ方向の中央には、２個のトレイ１の突合部に位置する１本の分割用切目線２５が入れられている。この分割用切目線２５は、短い切目が断続するミシン目とされている。天側板２３の端縁中央部は、分割用切目線２５の端部へかけて幅が狭くなるように弧状に切り込まれている。
【００６０】
天面板２１には、分割用切目線２５の中央部に臨んで対をなすように、２本のミシン目状の切目線と、その終端間にわたる１本の押罫の折目線を入れることにより、カバー２の除去時に押し込んで手を掛ける手掛穴２６となる部分が設けられている。また、分割用切目線２５を挟んで両側に、段ボールの裏面から押圧したＶ字状の補助罫線２１ａが手掛穴２６の付近で屈曲するように入れられている。
【００６１】
トレイ１とカバー２の固定時にホットメルト接着剤で接着する位置は、図中において網掛表示したように、トレイ１の切取部１８の領域内及びカバー２の両端の前面板２２の接着部ｄと、トレイ１の底側板１４の前部及びカバー２の天側板２３の両端部の接着部ｇとされている。なお、トレイ１の底側板１４における接着部ｇの外側近傍には、トレイ１とカバー２とを分離する際、段ボールのライナーの捲れを防止するため、円弧状に段ボールを切り込んだ破止線１４ａが入れられている。
【００６２】
このようなブランクを組み立てて商品を包装するには、図９に示すように、２個のトレイ１のブランクにおいて、底面板１１から前受板１２、後面板１３及び両側の底側板１４をそれぞれ起立させ、後面板１３及び前受板１２から両側の後側板１５及び前側板１９をそれぞれ側方へ折り曲げ、底側板１４に後側板１５及び前側板１９をそれぞれ接着部ａ，ｅで接着することにより、前受板１２及び後面板１３と底側板１４とを繋ぎ合わせる。
【００６３】
これにより、トレイ１が組立形状に保持されるので、２個のトレイ１を後面板１３同士が突き合わされるように配置し、商品を底面板１１に載せてトレイ１に収納する。なお、２個のトレイ１の後面板１３の下部同士を、ホットメルト接着剤により接着部ｆで接着しておくと、展示時の開封性に影響を及ぼすことなく、包装強度が向上する。
【００６４】
そして、２個のトレイ１にカバー２を上方から被せ、２個のトレイ１の天面を天面板２１で覆い、天面板２１から両端の前面板２２を下方へ折り曲げ、各トレイ１の前受板１２とその外面に被さる前面板２２とを、切取部１８の領域内の接着部ｄで接着する。
【００６５】
また、天面板２１から両側の天側板２３を２個のトレイ１の側面に跨って被さるように下方へ折り曲げ、各トレイ１の底側板１４と天側板２３とを、接着部ｇで接着する。これにより、２個のトレイ１とカバー２とが固定される。このとき、各トレイ１の後側板１５とカバー２の天側板２３とは接着しない。
【００６６】
この包装状態において、カバー２の天側板２３が各トレイ１の底側板１４の外面に被さって、側面が閉塞される。また、天面板２１の分割用切目線２５は、２個のトレイ１の突合部である後面板１３の上方に位置し、手掛穴２６となる部分の端縁部は、手掛切欠１７の上方に位置する。
【００６７】
一方、店頭での商品の展示に際しては、図１０に示すように、天面板２１の分割用切目線２５に臨む手掛穴２６となる部分を押し込んで開口させ、その開口縁に手を掛ける。このとき、天面板２１の手掛穴２６を形成する部分と後面板１３との干渉が、手掛切欠１７により防止される。そして、手掛穴２６の開口縁を引っ張ることにより、分割用切目線２５を切断し、分割されたカバー２を外側へ揺動させる。
【００６８】
このとき、天面板２１が補助罫線２１ａに沿って撓むので、天面板２１の幅が広いものであっても、分割用切目線２５の繋部を破断させるための大きな力が作用し、分割用切目線２５を容易に切断することができる。
【００６９】
これに伴い、切目線１８ａが切断されて、切取部１８が接着部ｄで前面板２２の内面に貼り付いたまま、前受板１２から切り取られると共に、底側板１４と天側板２３の接着部ｇでの接着が剥がされ、破止線１４ａで底側板１４のライナーの破れが防止されつつ、トレイ１とカバー２とが分離するので、トレイ１からカバー２を分割用切目線２５を挟んで片側ずつ除去する。
【００７０】
このように、２個のトレイ１からカバー２を除去すると、図１１に示すように、連結された２個のトレイ１がそれぞれ天面から前受板１２へかけて大きく開放され、露出した商品Ｇ２を買物客から見えやすい状態で展示することができる。
【００７１】
なお、図９に示す包装状態において、カバー２を前面板２２の下端部から捲り上げるように揺動させることにより、トレイ１とカバー２とを分離し、図１１に示すような展示状態とすることもできる。
【００７２】
また、図１２に示すように、２個のトレイ１を相対的に上下に捻るようにずらす等の動作により、カバー２の分割用切目線２５を切断し、トレイ１とカバー２とが固定されたままの状態で、２つの箱に分割して、取り扱うこともできる。なお、このとき、接着部ｆでの接着を剥がす必要がある。
【００７３】
この場合でも、上記と同様、図１３に示すように、天面板２１の手掛穴２６となる部分を押し込んで、または、手掛切欠１７から天面板２１の手掛穴２６となる部分を引き上げて、開口した手掛穴２６に手を掛け、手掛穴２６の開口縁を引っ張って、分割されたカバー２を外側へ揺動させることにより、トレイ１からカバー２を除去することができる。
【００７４】
そして、図１４に示すように、トレイ１を天面から前受板１２へかけて大きく開放し、露出した商品Ｇ２を買物客から見えやすい状態で展示することができる。
【００７５】
このように、上記連結式包装展示兼用箱もまた、カバー２を１本の分割用切目線２５に沿って切断することにより、カッターナイフを使用することなく、トレイ１同士を分割することができ、トレイ１からカバー２を除去することができるので、店頭での展示作業性に優れたものとなり、包装状態から展示状態への変換を効率よく行うことができる。
【００７６】
また、２個のトレイ１が連結された状態でも、分割された後でも、同様にトレイ１からカバーを２除去して開封することができ、作業手順に戸惑うことがない。
【００７７】
さらに、展示作業時のトレイ１の分割や開封に伴い、引裂帯やカットテープのような小片のゴミが発生することもない。
【００７８】
そして、展示状態で商品Ｇ２の上方を覆う部分がないので、商品Ｇ２の視認性及び取出性に優れたものとなり、店頭での訴求力を向上させて、商品Ｇ２の販売促進効果を期待することができる。
【００７９】
なお、上記各実施形態では、トレイ１の前受板１２とカバー２の前面板２２とを、前受板１２の切取部１８の範囲内で接着し、展示時に切取部１８が切り取られるようにしているが、このような切取部１８を設けることなく、トレイ１の前受板１２とカバー２の前面板２２とを接着しておき、展示時にその接着部を剥がすようにしてもよい。
【００８０】
また、カバー２の手掛穴２６は、展示時に押し込んで開口させ、開封に際して、その開口縁に手を掛けることとしているが、手掛穴２６が包装状態で最初から開口しているものとしてもよい。
【００８１】
また、トレイ１の後面板１３の上端縁の手掛切欠１７は、最初から手を掛けられるように切り欠かれたものを例示しているが、後面板１３の上端縁から入れた２本の切目線間を押し込むことにより、形成されるものとしてもよい。
【符号の説明】
【００８２】
１  トレイ
２  カバー
１０  側面板
１１  底面板
１２  前受板
１３  後面板
１４  底側板
１４ａ  破止線
１５  後側板
１６  前継板
１７  手掛切欠
１８  切取部
１８ａ  切目線
１９  前側板
２１  天面板
２１ａ  補助罫線
２２  前面板
２３  天側板
２４  前側板
２５  分割用切目線
２６  手掛穴
ａ〜ｇ  接着部
Ｇ１，Ｇ２  商品
【図１】
2019026366.tif 000003
【図２】
2019026366.tif 000004
【図３】
2019026366.tif 000005
【図４】
2019026366.tif 000006
【図５】
2019026366.tif 000007
【図６】
2019026366.tif 000008
【図７】
2019026366.tif 000009
【図８】
2019026366.tif 000010
【図９】
2019026366.tif 000011
【図１０】
2019026366.tif 000012
【図１１】
2019026366.tif 000013
【図１２】
2019026366.tif 000014
【図１３】
2019026366.tif 000015
【図１４】
2019026366.tif 000016
【図１５】
2019026366.tif 000017